(57)【要約】【課題】パネルの柔軟性および機械的信頼性を高めることが可能な表示装置および電子機器を提供する。【解決手段】柔軟性を有するパネルと、前記パネルに直接実装された半導体装置とを備え、前記半導体装置は、前記パネルを最小曲げ半径まで曲げることが可能な程度に低い寸法比を有する表示装置。【選択図】図１
2013254021.tif 000002
【特許請求の範囲】
【請求項１】
柔軟性を有するパネルと、前記パネルに直接実装された半導体装置とを備え、
前記半導体装置は、前記パネルを最小曲げ半径まで曲げることが可能な程度に低い寸法比を有する
表示装置。
【請求項２】
前記パネルの最小曲げ半径をＲとしたとき、前記半導体装置の曲げ方向の長さはπＲ／３以下である
請求項１記載の表示装置。
【請求項３】
前記半導体装置は正方形の平面形状を有する
請求項１または２記載の表示装置。
【請求項４】
前記半導体装置は正多角形の平面形状を有する
請求項１または２記載の表示装置。
【請求項５】
柔軟性を有するパネルと、前記パネルに直接実装された半導体装置とを備え、
前記パネルの少なくとも一辺に、フレームを有し、
前記フレームは、前記パネルの辺の一部を保持する剛性のレール部と、隣り合う前記レール部の間に設けられ、前記パネルの曲げに追随して変形可能なクッション部とを有し、
前記半導体装置は、前記レール部に沿って実装されている
表示装置。
【請求項６】
柔軟性を有するパネルと、前記パネルに直接実装された半導体装置とを備え、
前記パネルは、第１の方向に伸びる第１辺と、前記第１の方向とは異なる方向に伸びる第２辺とを有し、
前記第１辺に実装された半導体装置の前記第１の方向における寸法は、前記第２辺に実装された半導体装置の前記第２の方向における寸法よりも短い
表示装置。
【請求項７】
前記第２辺には、フレキシブル配線基板が接続されている
請求項６記載の表示装置。
【請求項８】
表示装置を有し、
前記表示装置は、柔軟性を有するパネルと、前記パネルに直接実装された半導体装置とを備え、
前記半導体装置は、前記パネルを最小曲げ半径まで曲げることが可能な程度に低い寸法比を有する
電子機器。
【請求項９】
表示装置を有し、
前記表示装置は、柔軟性を有するパネルと、前記パネルに直接実装された半導体装置とを備え、
前記パネルの少なくとも一辺に、フレームを有し、
前記フレームは、前記パネルの辺の一部を保持する剛性のレール部と、隣り合う前記レール部の間に設けられ、前記パネルの曲げに追随して変形可能なクッション部とを有し、
前記半導体装置は、前記レール部に沿って実装されている
電子機器。
【請求項１０】
表示装置を有し、
前記表示装置は、柔軟性を有するパネルと、前記パネルに直接実装された半導体装置とを備え、
前記パネルは、第１の方向に伸びる第１辺と、前記第１の方向とは異なる方向に伸びる第２辺とを有し、
前記第１辺に実装された半導体装置の前記第１の方向における寸法は、前記第２辺に実装された半導体装置の前記第２の方向における寸法よりも短い
電子機器。
【発明の詳細な説明】
【技術分野】
【０００１】
本開示は、柔軟性・可撓性を有する表示装置および電子機器に関する。
【背景技術】
【０００２】
近年、電子ペーパーと称される薄型の表示装置が、書籍（いわゆる電子ブック）として利用されている。そのような薄型の表示装置は、フレキシブル性が高く、ユーザが物理的に曲げたり捻ったりすることが可能である。
【０００３】
従来のフレキシブル表示装置では、パネル周辺部にＣＯＦ（Chip on Film）等でドライバＩＣ（Integrated Circuit）を接続しており、モジュールが大型化していた。また、多数のフレキシブルプリント配線基板（ＦＰＣ；Flexible Printed Circuit）により、パネルのフレキシブル性が損なわれていた。
【０００４】
一方、ＦＰＣを用いずパネルに直接ＩＣを実装する（ＣＯＧ；Chip on Glass）場合には、モジュールの小型化が可能となる。このようにパネルに直接ＩＣを実装した表示装置では、例えば特許文献１に記載されたように、パネルの一辺にＩＣを一列に並べて配置することによりパネルを湾曲可能とすることが提案されている。
【先行技術文献】
【特許文献】
【０００５】
【特許文献１】特開２００５−３３８１７９号公報
【発明の概要】
【発明が解決しようとする課題】
【０００６】
しかしながら、従来のＣＯＧで使用されていたＩＣは、一括で処理できるチャンネル数を多くし、マウントするＩＣの数を減らすために、ＩＣのサイズが大型化する傾向があった。しかし、このようにアスペクト比の大きなＩＣでは、柔軟性に欠け、かつ機械的な強度も低いという問題があった。
【０００７】
本開示はかかる問題点に鑑みてなされたもので、その目的は、パネルの柔軟性および機械的信頼性を高めることが可能な表示装置および電子機器を提供することにある。
【課題を解決するための手段】
【０００８】
本開示による第１の表示装置は、柔軟性を有するパネルと、パネルに直接実装された半導体装置とを備え、半導体装置は、パネルを最小曲げ半径まで曲げることが可能な程度に低い寸法比を有するものである。
【０００９】
ここに「最小曲げ半径」とは、パネルの一辺の両端を結んだ線が直径となるようにパネルを湾曲させて形成した半円の半径をいう。「パネルを最小曲げ半径まで曲げることが可能な程度」とは、パネルを湾曲させた際にパネルに設けられているＴＦＴ（Thin Film Transistor）等の素子が破損せず、表示装置としての機能が損なわれない程度、または視認性の劣化を招かない程度をいう。「曲げ」または「曲げる」とは、円弧状などに撓める（湾曲させる）ことと、二つ折りなどに折り曲げ、あるいは折り畳むこととを含む。「寸法比」とは、半導体装置の幅と長さとの比をいい、半導体装置が矩形の場合にはアスペクト比（縦横の比率）と同義である。
【００１０】
本開示による第１の電子機器は、上記本開示による第１の表示装置を有するものである。
【００１１】
本開示の第１の表示装置、または本開示の第１の電子機器では、半導体装置のアスペクト比が、パネルを最小曲げ半径まで曲げることが可能な程度に低いので、半導体装置が曲げに対して強くなる。よって、パネルを曲げると、パネルは、半導体装置を実装した状態で曲げられる。
【００１２】
本開示による第２の表示装置は、柔軟性を有するパネルと、パネルに直接実装された半導体装置とを備え、パネルの少なくとも一辺に、フレームを有し、フレームは、パネルの辺の一部を保持する剛性のレール部と、隣り合うレール部の間に設けられ、パネルの曲げに追随して変形可能なクッション部とを有し、半導体装置は、レール部に沿って実装されているものである。
【００１３】
本開示による第２の電子機器は、上記本開示による第２の表示装置を有するものである。
【００１４】
本開示の第２の表示装置、または本開示の第２の電子機器では、パネルを曲げると、それに追随してフレームのクッション部が変形するが、剛性のレール部は変形しない。よって、レール部に沿って実装されている半導体装置にかかるストレスが低減され、パネルの曲げによって損傷を受けるおそれが小さくなる。
【００１５】
本開示による第３の表示装置は、柔軟性を有するパネルと、パネルに直接実装された半導体装置とを備え、パネルは、第１の方向に伸びる第１辺と、第１の方向とは異なる方向に伸びる第２辺とを有し、第１辺に実装された半導体装置の第１の方向における寸法は、第２辺に実装された半導体装置の第２の方向における寸法よりも短いものである。
【００１６】
本開示による第３の電子機器は、上記本開示による第３の表示装置を有するものである。
【００１７】
本開示の第３の表示装置、または本開示の第３の電子機器では、パネルの第１辺に実装された半導体装置の第１の方向における寸法は、パネルの第２辺に実装された半導体装置の第２の方向における寸法よりも短いので、パネルは第２の方向よりも第１の方向に曲げやすくなる。
【発明の効果】
【００１８】
本開示の第１の表示装置、または本開示の第１の電子機器によれば、半導体装置のアスペクト比を、パネルを最小曲げ半径まで曲げることが可能な程度に低くするようにしたので、半導体装置の曲げに対する強度を向上させ、パネルの柔軟性および機械的信頼性を高めることが可能となる。
【００１９】
本開示の第２の表示装置、または本開示の第２の電子機器によれば、パネルの少なくとも一辺に、剛性のレール部と変形可能なクッション部とを交互に配したフレームを設けると共に、半導体装置を、剛性のレール部に沿って実装するようにしている。よって、パネルの曲げにより半導体装置にかかるストレスを低減し、パネルの柔軟性および機械的信頼性を高めることが可能となる。
【００２０】
本開示の第３の表示装置、または本開示の第３の電子機器によれば、パネルの第１辺に実装された半導体装置の第１の方向における寸法を、パネルの第２辺に実装された半導体装置の第２の方向における寸法よりも短くするようにしたので、パネルを第２の方向よりも第１の方向に曲げやすくし、パネルの柔軟性および機械的信頼性を高めることが可能となる。
【図面の簡単な説明】
【００２１】
【図１】本開示の第１の実施の形態に係る表示装置の構成を表す斜視図である。
【図２】図１に示したパネルの最小曲げ半径とドライバＩＣの曲げ方向の長さとの関係を表す図である。
【図３】図１に示した表示装置を曲げた状態を表す斜視図である。
【図４】（Ａ）は図１に示したドライバＩＣの平面形状の一例を表す平面図であり、（Ｂ）は（Ａ）の一部を拡大して表す平面図である。
【図５】（Ａ）は図１に示したドライバＩＣの平面形状の他の例を表す平面図であり、（Ｂ）は（Ａ）の一部を拡大して表す平面図である。
【図６】従来の表示装置の構成を表す斜視図である。
【図７】本開示の第２の実施の形態に係る表示部の構成を表す斜視図である。
【図８】本開示の適用例１に係る電子機器（電子ブック）を表す斜視図であり、（Ａ）は開いた状態、（Ｂ）は閉じた状態（折り畳んだ状態）を示す。
【図９】図８に示した電子ブックを分解して表す斜視図である。
【図１０】図８に示した電子ブックの機能ブロック図である。
【図１１】ユーザ操作の一例を模式的に表す図である。
【図１２】電子機器の他の例を模式的に表す図である。
【発明を実施するための形態】
【００２２】
以下、本開示の実施の形態について図面を参照して詳細に説明する。なお、説明は以下の順序で行う。
１．第１の実施の形態（表示装置：低寸法比のドライバＩＣをパネルに直接実装した例）
２．第２の実施の形態（表示装置：パネルの辺に、剛性のレール部と変形可能なクッション部とを交互に配したカタピラ構造のフレームを設け、ドライバＩＣを、レール部に沿って実装する例）
３．適用例１（電子機器：電子ブック）
【００２３】
（第１の実施の形態）
図１は、本開示の第１の実施の形態に係る表示装置の構成を表したものである。この表示装置１は、例えば電子ブックの表示部として用いられるものであり、柔軟性を有するパネル１０を備えている。パネル１０の周辺部には、縦長ドライバＩＣ２１およびドライバＩＣ２２が直接実装されている。ドライバＩＣ２２は、本開示における「半導体装置」の一具体例に対応する。
【００２４】
本明細書において、パネル１０の主面（最も広い面）において左右方向（長辺方向）をＸ方向、上下方向（短辺方向）をＹ方向とし、パネル１０の厚み方向をＺ方向という。
【００２５】
パネル１０は、画像信号に基づいて画像を表示する表示パネルであり、例えば有機ＥＬ（Electro Luminescence）素子、液晶表示素子あるいは電気泳動素子等をプラスチック等の樹脂フィルムで挟み込んだ構造を有している。
【００２６】
パネル１０は、例えば長方形の平面形状を有し、ほぼ中央に長方形の表示領域１１が設けられている。表示領域１１よりも外側の周辺部１２には、パネル１０の短辺１０Ａ（Ｙ方向）に沿って、例えば、二つの縦長ドライバＩＣ２１が実装されていると共に、外部接続端子への信号の入出力のためのＦＰＣ１３が接続されている。縦長ドライバＩＣ２１は、例えば、幅１．５ｍｍ×長さ２０ｍｍ以上の高アスペクト比を有する大型のＩＣにより構成されている。これは、一括で処理できるチャンネル数を多くし、マウントする縦長ドライバＩＣ２１の数を減らすためである。また、縦長ドライバＩＣ２１は、パネル１０の周辺部１２に直接実装されているので、表示装置１のコンパクト化が可能となる。
【００２７】
周辺部１２には、また、パネル１０の長辺１０Ｂ（Ｘ方向）に沿って、例えば、複数（図１では例えば２６個）のドライバＩＣ２２が実装されている。ドライバＩＣ２２は、パネル１０を最小曲げ半径まで曲げることが可能な程度に低い寸法比を有している。これにより、この表示装置１では、パネル１０の柔軟性および機械的信頼性を高めることが可能となっている。
【００２８】
すなわち、従来の縦長・高アスペクト比のＩＣに代えて、小分割したドライバＩＣ２２を周辺部１２にレイアウトすることにより、ドライバＩＣ２２が曲げに対して強くなり、パネル１０の曲げによりドライバＩＣ２２が破損されてしまうおそれが小さくなる。よって、例えば図３に示したように、ドライバＩＣ２２を実装した状態でパネル１０を曲げることが可能となり、ドライバＩＣ２２自体の信頼性を損なうことなく、パネル１０の柔軟性および機械的強度を高めることが可能となる。
【００２９】
ここに「最小曲げ半径」とは、図２に示したように、パネル１０の長辺１０Ｂの両端を結んだ線が直径となるようにパネル１０を一方向（例えばＸ方向すなわち長辺１０Ｂ方向）に湾曲させて形成した半円１０Ｃの半径Ｒをいう。図２では、半円１０Ｃを仮想線で表している。
【００３０】
「パネル１０を最小曲げ半径Ｒまで曲げることが可能な程度」とは、以下のことを意味する。パネル１０には縦長ドライバＩＣ２１，ドライバＩＣ２２，ＴＦＴ等の素子や電極等の構造物が設けられている。そのため、パネル１０を無理に曲げた場合には、応力によりドライバＩＣ類や素子が破損し、非発光欠陥や輝点欠陥（周囲の画素よりも明るく光る欠陥）など視認性劣化や画質低下が生じ、表示装置としての機能が損なわれるおそれがある。従って、「パネル１０を最小曲げ半径Ｒまで曲げることが可能な程度」とは、パネル１０を曲げた際にパネル１０に設けられているドライバＩＣ類やＴＦＴ等の素子が破損せず、表示装置としての機能が損なわれない程度、または視認性の劣化を招かない程度をいう。
【００３１】
「寸法比」とは、ドライバＩＣ２２の幅と長さとの比をいい、ドライバＩＣ２２が矩形の場合にはアスペクト比（縦横の比率）と同義である。
【００３２】
更に、具体的には、同じく図２に示したように、パネル１０の最小曲げ半径をＲとしたとき、ドライバＩＣ２２の曲げ方向（ここではＸ方向）の長さＬはπＲ／３以下であることが好ましい。なぜなら、曲げ部の曲率を多角形で近似するのには上記条件を満たす必要があるからである。
【００３３】
更に、ドライバＩＣ２２の曲げ方向に直交する方向（ｙ方向）の長さＬは長辺（ｘ方向）の長さ以下であれば好ましい。より高い効果を得ることが可能となるからである。
【００３４】
具体的には、ドライバＩＣ２２の寸法は、例えば、幅１ｍｍないし２ｍｍ、長さ１ｍｍないし２ｍｍとすることが可能である。また、ドライバＩＣ２２のアスペクト比は、例えば３以下であることが好ましく、２以下であればより好ましい。これにより、パネル１０の変形時のドライバＩＣ２２中央部への応力集中を緩和することが可能となる。
【００３５】
なお、ドライバＩＣ２２どうしの隙間の幅については、特に限定されないが、ドライバＩＣ２２の大きさに対して、十分な間隔が開いていれば足りる。
【００３６】
また、図４に示したように、ドライバＩＣ２２は、正方形の平面形状を有し、正方形の各辺がパネル１０の各辺に平行になるよう配置されていることが好ましい。これにより、２方向（正方形の縦辺と横辺を延長した二方向）の曲げに強いフレキシブルモジュールを実現することが可能となる。
【００３７】
あるいは、図５に示したように、ドライバＩＣ２２は、正多角形、例えば正六角形の平面形状を有することも好ましい。これにより、パネル１０の曲げ可能な方向を増やし、多方向（正多角形の各辺を延長した方向）の曲げに強いフレキシブルモジュールを実現することが可能となる。なお、ここにいう「正ｎ角形」とは、幾何学的に完全な正ｎ角形だけでなく、ドライバＩＣの組立精度などを考慮して、ほぼ正ｎ角形といえる程度の対称性を有するｎ角形も含むものであることは言うまでもない。また、ドライバＩＣ２２の平面形状は円形でもよい。
【００３８】
更に、ドライバＩＣ２２は、縦長ドライバＩＣ２１と同様に、パネル１０の周辺部１２に直接実装されているので、表示装置１のコンパクト化が可能となる。
【００３９】
また、パネル１０の長辺１０Ｂ（Ｘ方向の辺）に実装されたドライバＩＣ２２のＸ方向における寸法は、パネル１０の短辺１０Ａ（Ｙ方向の辺）に実装された縦長ドライバＩＣ２１のＹ方向における寸法よりも短い。これにより、この表示装置１では、パネル１０をＹ方向よりもＸ方向に折り曲げやすくなり、パネル１０の柔軟性および機械的信頼性を高めることが可能となる。
【００４０】
すなわち、パネル１０の柔軟性の向上は強く望まれているが、その一方で、パネル１０を完全に自由に曲げ変形可能とした場合には、許容限度を超えた過度の強制的な変形によってパネル１０上のドライバＩＣ類や素子類が破損し、表示性能が損なわれるおそれがある。従って、パネル１０の変形方向を規制し、特定の方向（例えばＸ方向すなわち長辺１０Ｂ方向）にのみ変形可能とすることは、パネル１０の柔軟性および機械的信頼性を両立させつつ両者ともに高める上で有効である。
【００４１】
更に、短辺１０Ａには、上述したように、縦長ドライバＩＣ２１と共に、ＦＰＣ１３が接続されている。よって、変形しにくい短辺１０Ａに縦長ドライバＩＣ２１およびＦＰＣ１３を配置し、縦長ドライバＩＣ２１およびＦＰＣ１３をパネル１０の変形による破損から保護することが可能となる。
【００４２】
この表示装置１は、上述した寸法比または寸法の条件を満たすドライバＩＣ２２を用いることを除いては、一般的な製造方法により製造することが可能である。
【００４３】
この表示装置１では、ドライバＩＣ２２のアスペクト比が、パネル１０を最小曲げ半径まで曲げることが可能な程度に低いので、ドライバＩＣ２２が曲げに対して強くなる。よって、パネル１０を曲げると、例えば図３に示したように、パネル１０は、ドライバＩＣ２２を実装した状態で曲げられる。
【００４４】
これに対して従来では、例えば図６に示したように、パネル１１０の周辺部１１２に、短辺１１０Ａおよび長辺１１０Ｂに沿って、比較的アスペクト比の高い縦長ドライバＩＣ１２０を数個実装するようにしていた。このような高アスペクト比の縦長ドライバＩＣ１２０は、それ自体に柔軟性が乏しく、パネル１１０の曲げにより縦長ドライバＩＣ１２０が破損しやすかった。そのため、このような従来のＩＣレイアウトでは、パネル１１０のフレキシブル性が損なわれてしまっていた。例えば、図６では、パネル１１０の長辺の中央に縦長ドライバＩＣ１２０が実装されていたので、パネル１１０の長辺１１０Ｂの中央でパネル１１０を折り畳むことはできなかった。なお、図６では、図１に対応する構成要素に１００番台の同一の符号を付している。
【００４５】
このように本実施の形態では、ドライバＩＣ２２のアスペクト比を、パネル１０を最小曲げ半径まで曲げることが可能な程度に低くしたので、ドライバＩＣ２２の曲げに対する強度を向上させ、パネル１０の柔軟性および機械的信頼性を高めることが可能となる。
【００４６】
また、パネル１０の長辺１０Ｂ（Ｘ方向の辺）に実装されたドライバＩＣ２２のＸ方向における寸法を、パネル１０の短辺１０Ａ（Ｙ方向の辺）に実装された縦長ドライバＩＣ２１のＹ方向における寸法よりも短くしたので、パネル１０をＹ方向よりもＸ方向に折り曲げやすくし、パネル１０の柔軟性および機械的信頼性を高めることが可能となる。
【００４７】
（第２の実施の形態）
図７は、本開示の第２の実施の形態に係る表示装置２の構成を表したものである。この表示装置２は、パネル１０の少なくとも一辺、例えば片側または両側の長辺１０Ｂに、剛性のレール部３１と変形可能なクッション部３２とを交互に配したカタピラ構造のフレーム３０を設けると共に、ドライバＩＣ２４を、剛性のレール部３１に沿って実装するようにしたものである。このことを除いては、この表示装置２は、第１の実施の形態と同様の構成、作用および効果を有している。よって、対応する構成要素には同一の符号を付して説明する。
【００４８】
パネル１０，縦長ドライバＩＣ２１，ＦＰＣ１３は、第１の実施の形態と同様に構成されている。
【００４９】
フレーム３０は、パネル１０の曲げ方向を規定するものであり、剛性のレール部３１と、変形可能なクッション部３２とを交互に配したカタピラ構造を有している。レール部３１は、パネル１０の長辺１０Ｂの一部を保持し、例えば樹脂材料（ＡＢＳ（アクリロニトリル−ブタジエン−スチレン）、ＰＥＴ（ポリエチレンテレフタレート）、ＰＣ（ポリカーボネート）等）により構成されている。クッション部３２は、隣り合うレール部３１の間に設けられ、パネル１０の曲げに追随して変形可能である。つまり、クッション部３２は、パネル１０の曲げ変形を可能とすると共に、剛性があり変形しない（変形しにくい）レール部３１どうしの間に挟まれた緩衝部材としての機能も有している。クッション部３２は例えばクッション材，樹脂埋込み，もしくはヒンジ構造により構成されている。
【００５０】
ドライバＩＣ２４は、上述したように、レール部３１に沿って実装されている。つまり、ドライバＩＣ２４は、パネル１０上におけるレール部３１に沿った領域に実装され、その領域をこえてクッション部３２に沿った領域にはかからない。これにより、この表示装置２では、パネル１０の柔軟性および機械的信頼性を高めることが可能となっている。
【００５１】
ドライバＩＣ２４の寸法比（アスペクト比）は、第１の実施の形態のドライバＩＣ２２とは異なり、特に限定されない。本実施の形態ではパネル１０の曲げ方向がフレーム３０の剛性のレール部３１によって規定されているからである。ただし、ドライバＩＣ２４は、第１の実施の形態のドライバＩＣ２２と同様に、パネル１０を最小曲げ半径まで曲げることが可能な程度に低い寸法比を有していてもよい。
【００５２】
この表示装置２では、パネル１０を曲げると、それに追随してフレーム３０のクッション部３２が変形するが、剛性のレール部３１は変形しない。よって、レール部３１に沿って実装されているドライバＩＣ２４にかかるストレスが低減され、パネル１０の曲げによって損傷を受けるおそれが小さくなる。
【００５３】
このように本実施の形態では、パネル１０の少なくとも一辺に、剛性のレール部３１と変形可能なクッション部３２とを交互に配したフレーム３０を設けると共に、ドライバＩＣ２４を、剛性のレール部３１に沿って実装するようにしている。よって、パネル１０の曲げによりドライバＩＣ２４にかかるストレスを低減することが可能となる。従って、ドライバＩＣ２４のアスペクト比が高い場合であっても、パネル１０の柔軟性および機械的信頼性を高めることが可能となる。
【００５４】
（適用例１）
図８は、本開示の適用例１に係る電子機器（電子ブック３）の斜視構成を模式的に表したものである。図９は、この電子ブック３の片側の一部を分解して表したものである。
【００５５】
電子ブック３は、柔らかい素材をコンポーネント化して形成された薄型のフレキシブルディスプレイである。この電子ブック３では、複数枚の紙（頁）を綴じて作られる実際の本のように、装置全体を閉じたり（折り畳んだり）、あるいは開いたりすることができるようになっている。ユーザは実際に本を読んでいるかのような感覚で、電子ブック３に表示された内容（例えば書籍の頁等）を閲覧することが可能である。
【００５６】
電子ブック３は、支持基板４０上に、表示部４５を含む積層体４１を備えたものであり、本における「背」の部分（背３Ａ）には、ヒンジ部４２を有している。この電子ブック３の下面（閉じたときに外側になる面）側にはカバー４３が設けられ、上面（閉じたときに内側になる面）側は、保護シート４４により覆われている。
【００５７】
支持基板４０は、電子ブック３の基材として積層体４１を支持すると共に、可撓性を有するものである。
【００５８】
積層体４１は、図９に示したように、例えば、支持基板４０の側から順に、システムボード層４７、回路部４８、検出部４６および表示部４５を積層した構成を有する。これらは、いずれも柔らかい素材を用いて構成されており、積層させた状態においてフレキシブル性が得られるようになっている。なお、本実施の形態では、積層体４１が、電子ブック３を開いた状態での左右２面の両方に設けられた例を示すが、この積層体４１は、左右どちらか一方の面にのみ設けられていてもよい。
【００５９】
ヒンジ部４２は、支持基板４０の背３Ａに対応する部分に設けられ、例えば、支持基板４０（あるいは電子ブック３）の曲げ角度に拘わらず一定の曲率を維持可能な曲率規制ヒンジであることが望ましい。
【００６０】
カバー４３は、電子ブック３の外装部材であり、柔らかい樹脂フィルムにより構成されている。
【００６１】
保護シート４４は、表示部４５を保護すると共に、電子ブック３の表示面を形成するものである。この保護シート４４は、支持基板４０にその全面を覆うように貼り合わせられており、柔らかく、かつ表示光に対して透明性を有する樹脂フィルムにより構成されている。
【００６２】
表示部４５は、上記第１または第２の実施の形態に係る表示装置１，２により構成されている。
【００６３】
検出部４６は、ユーザによる曲げ、押動等による操作（主にＺ方向に沿ってなされる操作）を検出するものであり、具体的には、ベンディングセンサ４６Ｂにより構成されている。ベンディングセンサ４６Ｂとしては、例えば加速度センサ、力センサ、圧力センサ、歪みセンサ、あるいはジャイロセンサ等が挙げられる。
【００６４】
この検出部４６はまた、ベンディングセンサ４６Ｂの他にも、位置センサ４６Ａを有しており、ユーザによるタッチ入力（指、手、スタイラス等を用いた入力）を検出可能となっている。位置センサ４６Ａは、ユーザのタッチ位置をＸ方向およびＹ方向の２次元位置座標として検出するものである。位置センサ４６Ａとしては、例えば感圧センサ、２次元トラッキングセンサ、２次元タッチセンサ、メッシュ・センサまたは静電容量方式によるものが挙げられる。ただし、この位置センサ４６Ａは、例えば表示部４５の上層に設けられていることが望ましい。これらの位置センサ４６Ａおよびベンディングセンサ４６Ｂを用いたＸ，Ｙ，Ｚの３軸方向のセンシングにより、ユーザによる曲げ操作の位置および曲げ具合等を検出可能となっている。但し、検出部４６の構成は、これらの位置センサ４６Ａおよびベンディングセンサ４６Ｂの組合せに限らず、任意の３軸センサを用いることができる。
【００６５】
システムボード層４７には、例えば電子部品が実装されたシステムボード、ハードディスクドライブ（Hard Disk Drive ：ＨＤＤ）および冷却ファン等が配設されている。シス
テムボードには、例えばＣＰＵ（Central Processing Unit ）、メインメモリ、チップセ
ット及び各種ドライブ用の制御回路等の電子部品が実装されている。ハードディスクドライブは、システムボードのコネクタ端子に接続され、内部にハードディスクを有し、このハードディスクに対して情報の読み書きを行うものである。冷却ファンは、システムボードに実装されたＣＰＵや、その他の発熱素子を冷却するものである。
【００６６】
回路部４８は、表示部４５および検出部４６をそれぞれ駆動するためのＴＦＴ（Thin Film Transistor：薄膜トランジスタ）を含む回路部である。ＴＦＴとしては、例えば有機ＴＦＴが用いられる。
【００６７】
図１０は、電子ブック３の機能構成を表したものである。電子ブック３は、信号取得部５１、判定部５２、表示切替部５３及び画像信号処理部５４を有している。信号取得部５１は、コンポーネント化された位置センサ４６Ａおよびベンディングセンサ４６Ｂに接続されている。
【００６８】
信号取得部５１は、位置センサ４６Ａにより検出された２次元の位置情報を示す信号を取得する。信号取得部５１はまた、ベンディングセンサ４６Ｂにより検出された曲げ情報（Ｚ方向）を示す信号を取得する。
【００６９】
判定部５２は、各センサの検出結果に基づいて電子ブック３が局所的な部分において曲げられているかどうかを判定する。
【００７０】
表示切替部５３は、各センサの検出結果に基づいて表示部４５の表示内容を切り替える。具体的には、表示切替部５３は、判定部５２により電子ブック３の所定の領域が曲げられていると判定された場合、表示部４５において、ページ送り（ページめくり）、スクロール等を表す画像が表示されるようにする。
【００７１】
画像信号処理部５４は、表示部４５に表示する画像（画像信号）を生成する。例えば、電子ブック３は、ネットワークを介してダウンロードされたコンテンツの所望のページを表示部４５に表示する。
【００７２】
なお、上記信号取得部５１、判定部５２、表示切替部５３及び画像信号処理部５４の各機能は、専用の制御デバイスあるいはプログラムを実行する図示しないプロセッサ（ＣＰＵ）により実現される。プロセッサにより実行される手順を示したプログラムやデータは、ＲＡＭ（Random Access Memory）、ＲＯＭ（Read Only Memory）、ＨＤＤ（Hard Disk Drive ）などの記憶デバイスを含むハードウエア資源に記憶されている。
【００７３】
この電子ブック３では、支持基板４０、積層体４１、カバー４３および保護シート４４が柔らかい素材により構成され（可撓性を有し）、背３Ａにヒンジ部４２が設けられていることにより、ユーザは、実際の紙からなる本を扱うときと同じように、電子ブック３を開いたり、閉じたりすることができる。例えば、図８（Ａ）に示した開いた状態において、表示部４５に画像（例えば書籍の１ページを示す画像）が表示されると、ユーザは電子ブック３を両手または片手に持ちながら、あるいは台等の上に広げ（置き）ながら、そのページを読むことができる。
【００７４】
このように、表示部４５にある内容を表示している状態で、ユーザが、電子ブック３の物理的形状変化を伴う所定の動作を行うと、そのような動作が検出部４６により検出され、表示切り替え部５３が表示内容を切り替える。具体的には、検出部４６により支持基板４０（電子ブック３）の局部的な撓み（曲げ（捩り、押動等も含む））が検出された場合、表示切り替え部５３が表示内容を切り替え、例えばページ送り動作やスクロール動作を表す内容を表示する。換言すると、ユーザによる入力操作（例えばページ送り動作あるいはスクロール動作）を感知して、それに応じた内容を表示する（他のページを表示する、あるいは他の行を表示する等）。
【００７５】
詳細には、信号取得部５１が、位置センサ４６ＡからＸＹ位置座標情報を取得すると共に、ベンディングセンサ４６Ｂから、Ｚ方向の変位を曲げ（撓み）情報として取得し、これらを判定部５２へ出力する。判定部５２は、取得したＸＹ位置座標情報に基づいてユーザ入力がなされているＸＹ平面内での位置（指等の接触位置）を特定すると共に、取得した曲げ情報に基づいて、電子ブック３がユーザによって曲げられているか否かを判定する。なお、この判定は、例えば予め保持された曲げ量の閾値との比較により行い、例えば取得された曲げ情報に応じた曲げ量が閾値を下回る場合には“曲げられていない”と判定し、閾値以上の場合には“曲げられている”と判定する。これにより、例えば図１１（Ａ）ないし図１１（Ｃ）に示したようなユーザの入力操作を感知することができる。
【００７６】
即ち、図１１（Ａ）に示したように、電子ブック３の角部分等の端部領域を手前に曲げる動作Ａを感知可能である。また、図１１（Ｂ）に示したように、電子ブック３の端部を捩って奥側に曲げる動作Ｂ、あるいは図１１（Ｃ）に示したように、電子ブック１の端部を押しながら動かす（押動する）動作Ｃを感知することができる。これらのうち、例えば図１１（Ａ），図１１（Ｂ）に示したような動作は、ページを送る（めくる）際になされる一般的な動作である。一方、図１１（Ｃ）に示したような動作は、スクロールする際にユーザが一般的に行う動作の一つである。なお、スクロール動作については、ＸＹ平面内での移動を伴うため、曲げ状態の判定に際し、ＸＹ位置座標が移動しているか否かについても同時に判定するとよい。但し、これらの動作は一例であり、本のページを送ったり（めくったり）、あるいはスクロールする際にユーザが一般的に行う動作の代表例として挙げている。
【００７７】
そして、検出部４６が感知したユーザ入力操作が例えば図１１（Ａ），図１１（Ｂ）に示したようなページ送り動作である場合、表示切り替え部５３は、表示内容を、例えば、それまで表示していたページの前のページあるいは次のページを表す内容に切り替える。この際、表示部４５には、現ページからその前後のページに瞬時に切り替わるような表示を行ってもよいし、あるいは、実際の本でのページめくりのように、めくられた箇所から次のページ内容が見えてくる様子を表示するような演出表示を行ってもよい。一方、検出部４６が感知したユーザ入力操作が例えば図１１（Ｃ）に示したようなスクロール動作である場合には、表示切り替え部５３は、表示内容を、例えば、それまで表示していたページ内の所定の行（または段落）よりも前の行あるいは次の行を表す内容に切り替える。
【００７８】
このように、ユーザは、電子ブック３を局部的に曲げるという動作によって、ページ送りやスクロールといった操作を行うことが可能になる。つまり、実空間での本と同じような操作を電子ブック３に対して行えばよいので、入力操作とこれに応じて生じる変更表示内容との関連性が高く、ユーザにとって直感的に結びつきやすい。
【００７９】
以上、実施の形態を挙げて本開示を説明したが、本開示は上記実施の形態に限定されるものではなく、種々の変形が可能である。また、例えば、上記実施の形態において表示装置１，２および電子ブック３の構成を具体的に挙げて説明したが、全ての構成要素を備える必要はなく、また、他の構成要素を更に備えていてもよい。
【００８０】
また、上記適用例１では、支持基板４０の面形状が矩形状である場合を例示したが、支持基板４０の面形状はこれに限らず、他の形状、例えば正方形状や他の多角形状、円形状、楕円形状等様々な形状を取り得る。
【００８１】
更に、上記適用例１では、電子ブック３の背３Ａに対応する領域が、支持基板４０を２分するように延在形成されている場合を例示したが、電子ブック３の背３Ａはこれに限定されるものではない。例えば、電子ブック３の背３Ａが支持基板４０の右寄りまたは左寄りの領域に延在して形成されていてもよい。すなわち、折り畳み時において、支持基板の一方の側が他方の側から露出するような構成であってもよい。また、電子ブック３の背３Ａの数も１つに限らず複数であってもよい。
【００８２】
更に、上記適用例１の支持基板４０は、必ずしも折り畳み可能である必要はなく、例えば図１２（Ａ）に示したように、支持基板４０が一枚の板状に成形された、いわゆるタブレット型の表示装置または電子機器であってもよい。また、例えば図１２（Ｂ）に示したように、腕等に装着可能なバンド型に成形されていてもよい。更には、図示はしないが、上述したような折り畳み型あるいはタブレット型の表示装置または電子機器に、他の機器、例えばキーボード等を接続可能に構成してもよい。
【００８３】
加えて、上記実施の形態等では、本開示の表示装置または電子機器の一例として、電子ブックを例に挙げたが、本開示の表示装置または電子機器は、他にも、各種モバイル機器（ノート型ＰＣ（Personal computer ），携帯オーディオプレーヤ，携帯電話，ＰＤＡ（Personal Digital Assistant）等の電子機器に用いられてもよい。また、ブックリーダとしてだけでなく、音楽プレーヤ，動画プレーヤ，写真ビューア，地図アプリ，ウエブブラウザなどを閲覧可能な表示装置および電子機器全般に使用することができる。
【００８４】
なお、本技術は以下のような構成を取ることも可能である。
（１）
柔軟性を有するパネルと、前記パネルに直接実装された半導体装置とを備え、
前記半導体装置は、前記パネルを最小曲げ半径まで曲げることが可能な程度に低い寸法比を有する
表示装置。
（２）
前記パネルの最小曲げ半径をＲとしたとき、前記半導体装置の曲げ方向の長さはπＲ／３以下である
前記（１）記載の表示装置。
（３）
前記半導体装置は正方形の平面形状を有する
前記（１）または（２）記載の表示装置。
（４）
前記半導体装置は正多角形の平面形状を有する
前記（１）または（２）記載の表示装置。
（５）
柔軟性を有するパネルと、前記パネルに直接実装された半導体装置とを備え、
前記パネルの少なくとも一辺に、フレームを有し、
前記フレームは、前記パネルの辺の一部を保持する剛性のレール部と、隣り合う前記レール部の間に設けられ、前記パネルの曲げに追随して変形可能なクッション部とを有し、
前記半導体装置は、前記レール部に沿って実装されている
表示装置。
（６）
柔軟性を有するパネルと、前記パネルに直接実装された半導体装置とを備え、
前記パネルは、第１の方向に伸びる第１辺と、前記第１の方向とは異なる方向に伸びる第２辺とを有し、
前記第１辺に実装された半導体装置の前記第１の方向における寸法は、前記第２辺に実装された半導体装置の前記第２の方向における寸法よりも短い
表示装置。
（７）
前記第２辺には、フレキシブル配線基板が接続されている
前記（６）記載の表示装置。
（８）
表示装置を有し、
前記表示装置は、柔軟性を有するパネルと、前記パネルに直接実装された半導体装置とを備え、
前記半導体装置は、前記パネルを最小曲げ半径まで曲げることが可能な程度に低い寸法比を有する
電子機器。
（９）
表示装置を有し、
前記表示装置は、柔軟性を有するパネルと、前記パネルに直接実装された半導体装置とを備え、
前記パネルの少なくとも一辺に、フレームを有し、
前記フレームは、前記パネルの辺の一部を保持する剛性のレール部と、隣り合う前記レール部の間に設けられ、前記パネルの曲げに追随して変形可能なクッション部とを有し、
前記半導体装置は、前記レール部に沿って実装されている
電子機器。
（１０）
表示装置を有し、
前記表示装置は、柔軟性を有するパネルと、前記パネルに直接実装された半導体装置とを備え、
前記パネルは、第１の方向に伸びる第１辺と、前記第１の方向とは異なる方向に伸びる第２辺とを有し、
前記第１辺に実装された半導体装置の前記第１の方向における寸法は、前記第２辺に実装された半導体装置の前記第２の方向における寸法よりも短い
電子機器。
【符号の説明】
【００８５】
１，２…表示装置、３…電子ブック、１０…パネル、１０Ａ…短辺、１０Ｂ…長辺、１１…表示領域、１２…周辺部、１３…ＦＰＣ、２１…縦長ドライバＩＣ、２２，２４…ドライバＩＣ、３０…フレーム、３１…レール部、３２…クッション部。
【図１】
2013254021.tif 000003
【図２】
2013254021.tif 000004
【図３】
2013254021.tif 000005
【図４】
2013254021.tif 000006
【図５】
2013254021.tif 000007
【図６】
2013254021.tif 000008
【図７】
2013254021.tif 000009
【図８】
2013254021.tif 000010
【図９】
2013254021.tif 000011
【図１０】
2013254021.tif 000012
【図１１】
2013254021.tif 000013
【図１２】
2013254021.tif 000014